(57)【要約】【課題】管理センターにて所在を一括管理できると共に、ユーザーが取り扱ってもガス用ボンベの安全性を確保することができるガス用ボンベ管理装置を提供する。【解決手段】ガス用ボンベ管理装置３０は、ガス用ボンベ１０を、インターネットを介して管理センターにて管理するためのものである。ガス用ボンベ１０は、ガスが充填されるボンベ本体１１と、ボンベ本体１１の上部に設けられたバルブ１２と、バルブ１２を囲うハンドル１３と、バルブ１２に連結され、燃焼機器へのホースＨが接続される連結器１４とを備えている。ガス用ボンベ管理装置３０は、装置本体４０と、装置本体４０をハンドル１３の上端部１３ｄに設置するための搭載部５０とを備えている。装置本体４０は、管理センターと通信する通信部４１と、ガス用ボンベ１０の現在地を測位する測位部４３１と、測位部４３１からの位置情報を管理センターに送信する制御部４２とが内蔵されている。【選択図】図２
2020159389.tif 000002
【特許請求の範囲】
【請求項１】
ガスが充填されるボンベ本体と、前記ボンベ本体の上部に設けられたバルブと、前記バルブを囲うハンドルと、前記バルブに連結され、燃焼機器へのホースが接続される連結器とを備えたガス用ボンベを、電気通信回線を介して管理センターにて管理するためのガス用ボンベ管理装置であって、
前記管理センターと通信する通信部と、前記ガス用ボンベの現在地を測位する測位部と、前記測位部からの位置情報を前記管理センターに前記通信部を介して送信する制御部とが内蔵された装置本体と、
前記装置本体の下部に設けられ、前記バルブに前記連結器が連結された状態で、前記装置本体を前記ハンドルの上端部に設置するための搭載部とを備えたガス用ボンベ管理装置。
【請求項２】
前記搭載部の底面に、前記ハンドルの上端部に嵌まる溝が形成された請求項１記載のガス用ボンベ管理装置。
【請求項３】
前記搭載部には、前記バルブを臨む切り欠きが形成された正面となる位置に、前記連結器を臨ませる切り欠きが形成された請求項１または２記載のガス用ボンベ管理装置。
【請求項４】
搭載部の両方の側面であり、前記ハンドルを把持する際に指を通すための把持用孔の上方となる位置に、側面孔が形成された請求項１から３のいずれかの項に記載のガス用ボンベ管理装置。
【請求項５】
前記装置本体の底面には、前記連結器における前記バルブとの連結部分の遊びによる傾斜を規制する保護壁が形成された請求項１から４のいずれかの項に記載のガス用ボンベ管理装置。
【請求項６】
前記搭載部を前記ハンドルから脱着不可能にする施錠部が、前記搭載部に設けられた請求項１から５のいずれかの項に記載のガス用ボンベ管理装置。
【請求項７】
前記装置本体に、前記施錠部の施錠状態を施錠状態情報として出力する施錠状態検出部を備え、
前記制御部は、前記施錠状態検出部からの施錠状態情報を前記管理センターに前記通信部を介して送信する請求項６記載のガス用ボンベ管理装置。
【請求項８】
前記装置本体に、前記ガス用ボンベの傾斜状態を測定する傾斜測定部を備え、
前記制御部は、前記傾斜測定部からの傾斜情報を前記管理センターに前記通信部を介して送信する請求項１から７のいずれかの項に記載のガス用ボンベ管理装置。
【請求項９】
前記装置本体の直径は、前記ガス用ボンベの胴部の直径より小さく、前記ハンドルの直径より大きい請求項１から８のいずれかの項に記載のガス用ボンベ管理装置。
【発明の詳細な説明】
【技術分野】
【０００１】
本発明は、ガス用ボンベの管理を遠隔地から管理するためのガス用ボンベ管理装置に関するものである。
【背景技術】
【０００２】
ガス用ボンベは、販売業者により家屋に隣接した場所に設置され、使用した量によって費用が決まる体積販売と、ガス用ボンベにガスが充填された状態でユーザーに販売され、使用が終わるとガス用ボンベが返却されることにより、ガスの重さによって費用が決まる質量販売とがある。
質量販売では、ガス用ボンベを各ユーザーが移動先に設置して使用することになるため、所在が不明になるおそれがあり、販売業者では管理が困難である。
【０００３】
例えば、特許文献１に記載の物体情報の集中管理システムでは、市中に多数存在するプロパンガスボンベなどの物体の所在を、通信網を介して一元的に管理すると共に、ボンベの異常状態を検出し、迅速な防犯、防災管理を行うというものである。
【０００４】
そのために、この集中管理システムでは、情報管理ユニットが、ガスボンベの底部を支えるボンベ受け台に、ユニットホルダを介して取り付けられ、震度センサ、温度センサ、重量センサ、ＧＰＳセンサ、時計、サンプリングパルス発生回路、電池、電池残量検知部、ＰＨＳ通信部、センサ情報メモリ、端末ＩＤメモリを備えている。
【０００５】
ガスボンベに１対１で対応する情報管理ユニットは、一つ一つにＩＤ番号が付与され、集中管理センターでは、ガスボンベに対応したＩＤ番号を監視することで、ガス販売店に供給したガスボンベの設置保管場所をＧＰＳ情報により管理している。
【先行技術文献】
【特許文献】
【０００６】
【特許文献１】特開２０１５−２０７８６９号公報
【発明の概要】
【発明が解決しようとする課題】
【０００７】
質量販売では、ユーザー側で燃焼機器への接続が行われることから、ガスが充填されるボンベ本体の上部に設けられたバルブに、燃焼機器へのホースが接続され、減圧するための調整器を有する連結器が連結される。
一方、特許文献１に記載の物体情報の集中管理システムでは、通信網を介して、集中管理センターにて、一元管理できるものの、情報管理ユニットが、ガスボンベの底部を支えるボンベ受け台に、ユニットホルダを介して取り付けられているため、ガスボンベの上部に位置するバルブは、剥き出しのままの状態である。
【０００８】
従って、バルブに連結器が連結された状態で、ユーザーが保管、管理するガス用ボンベでは、その扱いが粗雑であると、連結器に物を当ててしまうおそれがある。そうなると、バルブから連結器が外れたり、連結器が破損したりするおそれがある。
【０００９】
そこで本発明は、管理センターにて所在を一括管理できると共に、ユーザーが取り扱ってもガス用ボンベの安全性を確保することができるガス用ボンベ管理装置を提供することを目的とする。
【課題を解決するための手段】
【００１０】
本発明のガス用ボンベ管理装置は、ガスが充填されるボンベ本体と、前記ボンベ本体の上部に設けられたバルブと、前記バルブを囲うハンドルと、前記バルブに連結され、燃焼機器へのホースが接続される連結器とを備えたガス用ボンベを、電気通信回線を介して管理センターにて管理するためのものであって、前記管理センターと通信する通信部と、前記ガス用ボンベの現在地を測位する測位部と、前記測位部からの位置情報を前記管理センターに前記通信部を介して送信する制御部とが内蔵された装置本体と、前記装置本体の下部に設けられ、前記バルブに前記連結器が連結された状態で、前記装置本体を前記ハンドルの上端部に設置するための搭載部とを備えたことを特徴とする。
【００１１】
本発明のガス用ボンベ管理装置によれば、制御部が、測位部から現在地を位置情報として通信部を介して管理センターへ通信部を介して送信するため、管理センターにて、ガス用ボンベの位置を把握することができる。連結器がバルブに連結され、連結器の高さ位置がハンドルの高さより高くなっても、ガス用ボンベ管理装置が連結器を覆い、保護するため、ガス用ボンベの扱いが粗雑であっても、直接、連結器に物が当たることを防止することができる。
【００１２】
前記搭載部の底面に、前記ハンドルの上端部に嵌まる溝が形成されていると、容易に、搭載部をガス用ボンベに搭載することができる。
【００１３】
前記搭載部には、前記バルブを臨む切り欠きが形成された正面となる位置に、前記連結器を臨ませる切り欠きが形成されていると、連結器に燃焼機器からのホースを接続する際に、容易にホースを連結器に接続することができる。
【００１４】
搭載部の両方の側面であり、前記ハンドルを把持する際に指を通すための把持用孔の上方となる位置に、側面孔が形成されていると、把持用孔に人差し指から小指までを差し込むと、側面孔に親指を差し込むことができ、容易に、ガス用ボンベを持ち運びすることができる。
【００１５】
前記装置本体の底面には、前記連結器における前記バルブとの連結部分の遊びによる傾斜を規制する保護壁が形成されていると、ホースを連結器に接続する際に、連結器が押圧されても、連結器におけるバルブとの連結部分の遊びにより、連結器が傾斜することを保護壁が規制することができる。
【００１６】
前記搭載部を前記ハンドルから脱着不可能にする施錠部が、前記搭載部に設けられていると、ユーザーが、勝手にガス用ボンベから本発明のガス用ボンベ管理装置を取り外してしまうことを防止することができる。
【００１７】
前記装置本体に、前記施錠部の施錠状態を施錠状態情報として出力する施錠状態検出部を備え、前記制御部は、前記施錠状態検出部からの施錠状態情報を前記管理センターに前記通信部を介して送信することができる。また、施錠状態情報により、ユーザーがガス用ボンベ管理装置をガス用ボンベから取り外そうとしていることを管理センターにて検出することができる。
【００１８】
前記装置本体に、前記ガス用ボンベの傾斜状態を測定する傾斜測定部を備え、前記制御部は、前記傾斜測定部からの傾斜情報を前記管理センターに前記通信部を介して送信することができる。傾斜測定部が測定する傾斜情報により、ガス用ボンベが危険な傾斜状態で保管されていたり、転倒状態で保管されていたりすることが管理センターにて検出できる。
【００１９】
前記装置本体の直径は、前記ガス用ボンベの胴部の直径より小さく、前記ハンドルの直径より大きく形成されていることで、ガス用ボンベが転倒しても、装置本体が設置場所に衝突して衝撃を受けることを軽減することができる。
【発明の効果】
【００２０】
本発明のガス用ボンベ管理装置によれば、ガス用ボンベの位置が把握できるため、ガス用ボンベがどこに保管されていても、管理センターにて管理することができると共に、
ガス用ボンベの扱いが粗雑であっても、直接、連結器に物が当たることを防止することができる。よって、本発明のガス用ボンベ管理装置は、管理センターにて所在を一括管理できると共に、ユーザーが取り扱ってもガス用ボンベの安全性を確保することができる。
【図面の簡単な説明】
【００２１】
【図１】本発明の実施の形態に係るガス用ボンベ管理装置と、管理センターとを説明するための図である。
【図２】図１に示すガス用ボンベ管理装置がガス用ボンベから分離した状態の図であり、（Ａ）は正面図、（Ｂ）は連結器にジョイント付きホースを接続した状態の右側面図である。
【図３】図２に示すガス用ボンベ管理装置がガス用ボンベに搭載された状態の正面図である。
【図４】図２に示すガス用ボンベ管理装置の底面図である。
【図５】図２に示すガス用ボンベ管理装置の装置本体の構成を説明するための図である。
【発明を実施するための形態】
【００２２】
本発明の実施の形態に係るガス用ボンベ管理装置を図面に基づいて説明する。
図１に示す本実施の形態に係るガス用ボンベ管理装置３０は、ガス用ボンベ１０の管理を遠隔地である管理センター２０から管理するためのものである。
【００２３】
まず、ガス用ボンベ１０について、図２（Ａ）および同図（Ｂ）に基づいて説明する。
ガス用ボンベ１０は、ガスが充填されるボンベ本体１１と、ボンベ本体１１の上部に設けられたバルブ１２と、バルブ１２を囲うハンドル１３と、バルブ１２に連結され、燃焼機器へのジョイント付きホースＨが接続される連結器１４とを備えている。
ボンベ本体１１は、例えば、液化プロパンガスが充填される。ボンベ本体１１は、ボンベ本体１１の外皮とハンドル１３とが一体的に形成されたポリエチレン製のアウターケースと、グラスファイバー製の圧力容器と、液化されたガスを貯留するポリエチレン製のライナーの３層から形成されている。
【００２４】
バルブ１２は、ボンベ本体１１の上部から突出している。このバルブ１２には、開放と閉鎖とを切り替えるコックを備える。
ハンドル１３は、バブル１２の前方を除く範囲を囲うために、前部にバルブ１２を臨ませる切り欠き１３ａが形成されていると共に、両方の側面に、ハンドル１３を把持する際に指を通すための把持用孔１３ｂが一対形成されている。
ハンドル１３がボンベ本体１１の胴部１１ａより先細り形状に形成されているため、胴部１１ａの直径Ｄ１は、ハンドル１３の上端縁部に形成された鍔部１３ｃの直径Ｄ２より大きく形成されている。
【００２５】
連結器１４は、バルブ１２の先端部に連結されることで、バルブ１２より更に高い位置に配置される。連結器１４には、ボンベ本体１１から高圧ガスを減圧して燃焼機器へ送る調整器（減圧器）を備えている。連結器１４は、バルブ１２との連結部分に遊びを有しており、ボンベ本体１１から垂直に突出したバルブ１２に対して連結器１４に水平方向の押圧力が掛かると、連結器１４は傾斜した状態になる。
【００２６】
このガス用ボンベ１０は、ＨＥＸＡＧＯＮ  ＲＡＧＡＳＣＯ社製のプラコンポ（商標）が使用できる。
【００２７】
次に、管理センター２０について、図１に基づいて説明する。
管理センター２０は、ガス用ボンベ１０の販売業者またはガス用ボンベ１０の管理会社により運営される。管理センター２０には、電気通信回線の一例であるインターネットＷに、中継装置２１を介して接続する管理サーバ２２が設置されている。また、管理センター２０には、管理サーバ２２に中継装置２１を介して接続して、ガス用ボンベ１０の設置状態を監視するための端末装置２３が設置されている。
【００２８】
中継装置２１は、インターネットＷと管理センター２０内のイントラネットとを接続するルータとすることができる。また、管理センター２０に設置される端末装置２３の台数が数多い場合には、中継装置２１は、ルータとルータ配下に接続されるハブとすることができる。
【００２９】
次に、ガス用ボンベ１０の上部に搭載されるガス用ボンベ管理装置３０について、図２から図４に基づいて説明する。
図２に示すように、ガス用ボンベ管理装置３０は、管理センター２０（図１参照）へ情報を送信する機器が内蔵された装置本体４０と、装置本体４０をハンドル１３の上部に搭載するための搭載部５０と、搭載部５０をハンドル１３から脱着不可能にする施錠部６０とを備えている。
【００３０】
装置本体４０は、例えば、半球状に形成することができる。装置本体４０の直径Ｄ３は、胴部１１ａの直径Ｄ１より小さく、ハンドル１３の鍔部１３ｃの直径Ｄ２より大きく形成されている。
図２および図４に示すように、装置本体４０の底面４０ａには、連結器１４を保護するために、連結器１４の前方を除く範囲の三方を囲う保護壁４０ｂが垂下した状態で形成されている。この保護壁４０ｂは、連結器１４の連結部分の遊びにより、連結器１４が限界まで傾斜する前の位置に形成されている。
【００３１】
図５に示すように、装置本体４０には、通信部４１と、制御部４２と、設置状態検出部４３と、電源部４４と、二次電池４５とが内蔵され、太陽光発電パネル４６が装置本体４０の外側面に設けられている。
【００３２】
通信部４１は、インターネットＷから基地局Ｂを通じて送信された無線信号を受信した通信情報を装置本体４０内の制御部４２へ出力すると共に、制御部４２からの通信情報を無線信号により基地局Ｂへ送信することで、インターネットＷと通信するものである。
【００３３】
通信部４１と基地局Ｂとの間は、例えば、携帯電話会社が提供する、通信規格（１Ｇ−５Ｇ）による携帯電話回線サービスにより通信することが可能である。通信部４１が、携帯電話回線サービスにより通信することで、サービス提供エリアであれば、ガス用ボンベ１０の設置場所を通信部４１により管理センター２０に通知することができる。
【００３４】
制御部４２は、設置状態検出部４３からの設置状態情報を読み取り、通信部４１を介して管理サーバ２２へ送信するものである。制御部４２は、ガス用ボンベ管理装置３０固有の識別情報を有しており、設置状態情報を送信する際には、識別情報も一緒に送信する。
【００３５】
設置状態検出部４３は、測位部４３１と、傾斜測定部４３２と、温度測定部４３３と、湿度測定部４３４と、施錠状態検出部４３５とを備えている。
測位部４３１は、現在地を位置情報として測位するセンサである。位置情報は、経度、緯度、高さの各情報が含まれる。測位部４３１は、例えば、ＧＰＳ（Global Positioning System）とすることができる。
傾斜測定部４３２は、ガス用ボンベ１０の傾斜状態を測定して傾斜情報として出力する傾斜センサである。
温度測定部４３３は、温度を測定して温度情報として出力する温度センサである。
湿度測定部４３４が、湿度を測定して湿度情報として出力する湿度センサである。
施錠状態検出部４３５は、搭載部５０の後述する施錠部の施錠状態を施錠状態情報として出力する。
【００３６】
電源部４４は、二次電池４５または太陽光発電パネル４６による電源を調整して各部へ供給したり、太陽光発電パネル４６からの電流により二次電池４５を充電したりするものである。
二次電池４５は、充電可能な電池であり、例えば、小型で容量が大きいリチウムイオン電池とすることができる。
太陽光発電パネル４６は、装置本体４０の半球状の天面４０ｃに配置されている。
【００３７】
図２（Ａ）および同図（Ｂ）に示すように、搭載部５０は、装置本体４０の下部４０ｄに設けられ、バルブ１２に連結器１４が連結された状態で、装置本体４０をハンドル１３の上端部１３ｄに設置するための脚部である。
図２および図４に示すように、搭載部５０は、装置本体４０における底面４０ａの周縁４０ｅからハンドル１３に向かって延び、ハンドル１３の切り欠き１３ａを除く範囲の円弧状に形成されている。搭載部５０の正面となる前部５０ｂには、連結器１４を臨ませる切り欠き５０ａが形成されている。また、搭載部５０の両方の側面５０ｃであり、ハンドル１３を把持する際に指を通すための把持用孔１３ｂの上方となる位置に、側面孔５０ｄが形成されている。
搭載部５０の下端５０ｅには、ハンドル１３の上端部に嵌まる溝５１が形成されている。
【００３８】
また、施錠部６０は、搭載部５０における両方の側面５０ｃの下端５０ｅから下方にハンドル１３の把持用孔１３ｂまで延びる一対の支持部６１を備えている。
また、施錠部６０は、一方の支持部６１に穿孔された一対の貫通孔６１ａを挿通して、ハンドル１３の一方の把持用孔１３ｂを挿通し、他方の把持用孔１３ｂを挿通して、他方の支持部６１に穿孔された一対の貫通孔６１ａを挿通する施錠用棒６２を備えている。
【００３９】
施錠用棒６２は、一方の先端部６２ａをヒンジ部６２ｂで、他方の先端部６２ｃの方向へ回転させることで、Ｕ字状から長方形状に変形する。施錠用棒６２の一方の先端部６２ａには貫通孔６２ｄが形成され、他方の先端部６２ｃにも貫通孔６２ｅが形成されており、施錠用棒６２を長方形状に変形させたときに、貫通孔６２ｄ，６２ｅ同士が上下に重なる。
更に、施錠部６０は、施錠用棒６２の一方の先端部６２ａを回転させ、他方の先端部６２ｃに重ねると、上下に重なる貫通孔６２ｄ，６２ｅに、フック部６３ａが挿通する錠前６３を備えている。
【００４０】
支持部６１には、支持部６１に形成された一対の貫通孔６１ａに施錠用棒６２が挿通していることを検出する一対の電極（図示せず）が設けられている。図５に示す施錠状態検出部４３５は、この電極が導通状態のときに施錠部６０が施錠状態であるとして通知せず、非導通状態となることで解錠状態となったことを検出して制御部４２に通知する。
【００４１】
以上のように構成された本発明の実施の形態に係るガス用ボンベ管理装置３０の動作および使用状態について、図面に基づいて説明する。
ガス用ボンベ１０は、図２に示すように、液化プロパンガスなどのガスが充填され、ガス用ボンベ管理装置３０が搭載された状態で、ユーザーが量販店にて購入する。
購入の際には、ガス用ボンベ管理装置３０の識別情報に対応付けて、ユーザー（購入者）の氏名、住所、連絡先（電話番号等）を登録する。
ユーザーは、ガス用ボンベ１０を自宅で使用したり、バーベキューを行うレジャー施設で使用したりすることができる。
ユーザーは、ガス用ボンベ１０からガスの供給を受け、ガスコンロやバーベキューグリルなどの燃焼機器により調理するときには、燃焼機器に接続されたジョイント付きホースＨを、ガス用ボンベ１０の連結器１４に接続する。
【００４２】
ガス用ボンベ管理装置３０では、制御部４２が、測位部４３１から現在地を位置情報として読み取る。そして、制御部４２は、識別情報と共に、通信部４１を介して管理センター２０（管理サーバ２２）へ通信部４１を介して送信する。
制御部４２は、傾斜測定部４３２が測定したガス用ボンベ１０（装置本体４０）の傾斜状態を傾斜情報として読み取る。そして、制御部４２は、識別情報と共に、傾斜情報を管理センター２０（管理サーバ２２）へ通信部４１を介して送信する。
【００４３】
制御部４２は、温度測定部４３３が測定したガス用ボンベ１０（装置本体４０）の周囲の温度を温度情報として、また、湿度測定部４３４が測定したガス用ボンベ１０（装置本体４０）の周囲の湿度を湿度情報として読み取る。そして、制御部４２は、識別情報と共に、温度情報および湿度情報を管理センター２０（管理サーバ２２）へ通信部４１を介して送信する。
更に、制御部４２は、施錠状態検出部４３５から施錠部６０の施錠状態を施錠状態情報として読み取る。そして、制御部４２は、識別情報と共に、施錠状態情報を管理センター２０（管理サーバ２２）へ通信部４１を介して送信する。
【００４４】
制御部４２は、位置情報を定期的に送信することが可能であり、ガス用ボンベ１０の現在地が変化したことを契機に位置情報を送信することも可能である。
制御部４２は、傾斜情報を定期的に送信することが可能であり、ガス用ボンベ１０の傾斜状態が変化したことを契機に傾斜情報を送信することも可能である。また、制御部４２は、ガス用ボンベ１０の傾斜状態が許容される範囲を超えたことを契機に傾斜情報を送信することも可能である。
【００４５】
また、制御部４２は、温度情報および湿度情報を定期的に送信することが可能であり、所定の温度範囲および所定の湿度範囲を超えたことを契機に温度情報および湿度情報を送信することも可能である。
更に、制御部４２は、施錠状態情報を定期的に送信することが可能であり、解錠状態が検知されてことを契機に施錠状態情報を送信することも可能である。
【００４６】
管理サーバ２２では、日時と、識別情報と、傾斜情報と、位置情報と、温度情報と、湿度情報と、解錠情報とを関連付けて、管理情報として記憶する。端末装置２３は、管理サーバ２２にアクセスすることにより、管理情報を閲覧することができる。
【００４７】
管理サーバ２２では、定期的に傾斜情報や位置情報、温度情報、湿度情報を送信される場合には、傾斜情報が許容される傾斜範囲を超えたか否か、位置情報の変化、温度情報が許容される温度範囲を超えたか否か、湿度情報が許容される湿度範囲を超えたか否か、施錠部６０が解錠されたことを判定することで、端末装置２３での閲覧に警告を報知することが可能である。
【００４８】
このようにして管理センター２０にて、ガス用ボンベ１０の位置が把握できるため、ガス用ボンベ１０がどこに保管されていても、管理サーバ２２により管理することができ、端末装置２３により閲覧して、監視することができる。
また、傾斜情報により、ガス用ボンベ１０が危険な傾斜状態で保管されていたり、転倒状態で保管されていたりすることが管理センター２０にて検出できる。
温度情報および湿度情報により、ガス用ボンベ１０が許容される環境状態では無い場所に保管されていることを検出することができる。
従って、ガス用ボンベ１０が安全な状態で保管されていることを管理センター２０にて確認することができ、管理することができる。
【００４９】
ガス用ボンベ管理装置３０の搭載部５０は、装置本体４０の下部４０ｄに設けられ、バルブ１２に連結器１４が連結された状態で、装置本体４０をハンドル１３の上端部１３ｄに設置している。
従って、連結器１４がバルブ１２に連結され、連結器１４の高さ位置がハンドル１３の高さより高くなっても、ガス用ボンベ管理装置３０が連結器１４を覆い、保護する。そのため、ガス用ボンベ１０の扱いが粗雑であっても、直接、連結器１４に物が当たることを防止することができるので、バルブ１２から連結器１４が外れたり、連結器１４が破損したりすることが防止できる。
よって、ガス用ボンベ１０が質量販売されるボンベであり、ユーザーが量販店で購入して、任意の場所で使用するものであっても、ガス用ボンベ管理装置３０は、管理センター２０にて所在を一括管理できると共に、ユーザーが取り扱ってもガス用ボンベ１０の安全性を確保することができる。
【００５０】
ガス用ボンベ管理装置３０は、搭載部５０の下端５０ｅに形成された溝５１によりハンドル１３の上端部に嵌め込まれ、搭載されるため、容易に、ガス用ボンベ管理装置３０（搭載部５０）をガス用ボンベ１０に搭載することができる。
【００５１】
搭載部５０の正面となる前部５０ｂに、連結器１４を臨ませる切り欠き５０ａが形成されているため、連結器１４に燃焼機器からのホースＨを接続する際に、容易にホースＨを連結器１４に接続することができる。
【００５２】
搭載部５０の両方の側面５０ｃであり、ハンドル１３を把持する際に指を通すための把持用孔１３ｂの上方となる位置に、側面孔５０ｄが形成されている。そのため、把持用孔１３ｂに人差し指から小指までを差し込むと、側面孔５０ｄに親指を差し込むことができ、容易に、ガス用ボンベ管理装置３０を搭載したガス用ボンベ１０を持ち運びすることができる。
【００５３】
装置本体４０の底面４０ａには、保護壁４０ｂが垂下した状態で形成されているため、ホースＨを切り欠き５０ａを通して連結器１４に接続する際に、連結器１４が後方へ押圧されても、連結器１４におけるバルブ１２との連結部分の遊びにより、連結器１４の傾斜を保護壁４０ｂが規制する。
従って、連結器１４へホースＨを接続する度に連結器１４の遊びの限界まで傾斜することを繰り返すことで、連結の悪化を招いてしまう事態を回避することができる。
【００５４】
搭載部５０をハンドル１３から脱着不可能にする施錠部６０が、搭載部５０に設けられているため、ユーザーが、勝手にガス用ボンベ１０からガス用ボンベ管理装置３０を取り外して移動することが防止できる。
また、施錠状態情報により、ユーザーがガス用ボンベ管理装置３０をガス用ボンベ１０から取り外そうとしていることを管理センター２０にて検出することができる。
従って、ガス用ボンベ管理装置３０がガス用ボンベ１０から取り外され、ガス用ボンベ１０の所在が不明となることを防止することができる。
【００５５】
図２（Ａ）および同図（Ｂ）に示すように、装置本体の直径Ｄ３は、ガス用ボンベ１０の胴部１１ａの直径Ｄ１より小さく、ハンドル１３の直径Ｄ２より大きく形成されている。そのため、ガス用ボンベ１０が転倒しても、装置本体４０が設置場所に衝突して衝撃を受けることを軽減することができる。また、複数のガス用ボンベ１０を隣接させて保管する場合でも、保管時に隣接するガス用ボンベ１０に搭載されたガス用ボンベ管理装置３０同士が接触することを回避することができる。
【００５６】
本実施の形態では、ガス用ボンベ管理装置３０が太陽光発電パネル４６を備えているため、電源が取れない屋外であっても、装置本体４０の各部に電源部４４を介して電源を供給することができる。また、二次電池４５を備えているため、夜間や曇天など、太陽光発電パネル４６による発電が期待できない場合に、晴天時に太陽光発電パネル４６により充電された二次電池４５により、装置本体４０の各部に電源部４４を介して電源を供給することができる。
【００５７】
なお、本実施の形態では、ガス用ボンベ１０が樹脂製であったが、ハンドルがバルブに連結された連結器より高くなる金属製のガス用ボンベであっても、本発明のガス用ボンベ管理装置を搭載することで、上方からの物の落下により連結器に損傷を与えることが防止できるため、本発明のガス用ボンベ管理装置を適用することが可能である。
【産業上の利用可能性】
【００５８】
本発明のガス用ボンベ管理装置は、ガス用ボンベの管理に好適であり、特に、質量販売されるガス用ボンベの管理に最適である。
【符号の説明】
【００５９】
１０  ガス用ボンベ
１１  ボンベ本体
１１ａ  胴部
１２  バルブ
１３  ハンドル
１３ａ  切り欠き
１３ｂ  把持用孔
１３ｃ  鍔部
１３ｄ  上端部
１４  連結器
２０  管理センター
２１  中継装置
２２  管理サーバ
２３  端末装置
３０  ガス用ボンベ管理装置
４０  装置本体
４０ａ  底面
４０ｂ  保護壁
４０ｃ  天面
４０ｄ  下部
４０ｅ  周縁
４１  通信部
４２  制御部
４３  設置状態検出部
４３１  測位部
４３２  傾斜測定部
４３３  温度測定部
４３４  湿度測定部
４３５  施錠状態検出部
４４  電源部
４５  二次電池
４６  太陽光発電パネル
５０  搭載部
５０ａ  切り欠き
５０ｂ  前部
５０ｃ  側面
５０ｄ  側面孔
５０ｅ  下端
５１  溝
６０  施錠部
６１  支持部
６１ａ  貫通孔
６２  施錠用棒
６２ａ  一方の先端部
６２ｂ  ヒンジ部
６２ｃ  他方の先端部
６２ｄ，６２ｅ  貫通孔
６３  錠前
６３ａ  フック部
Ｂ  基地局
Ｗ  インターネット
Ｄ１，Ｄ２，Ｄ３  直径
Ｈ  ホース
【図１】
2020159389.tif 000003
【図２】
2020159389.tif 000004
【図３】
2020159389.tif 000005
【図４】
2020159389.tif 000006
【図５】
2020159389.tif 000007